(57)【要約】      （修正有）【課題】遊技機用表示装置の視認性を向上させる。【解決手段】表示装置取付具１は、取付部材２と、支持部材３、４と、連結部材５、６とを備える。取付部材２は、表面２１ａに呼出ランプが取り付けられる取付板２１と、取付板２１から取付板２１の裏面側へ向かって突出する接続板２２、２３とを備える。支持部材は、遊技機の上方に配置される幕板１０２の上部と蝶番１０４を介して連結されることによって幕板を開閉可能に支持する笠木１０３に固定される。連結部材は、取付板と接続板との連結箇所Ｃ１、Ｃ２が蝶番より上方に位置するように、且つ、笠木の延出方向Ｄ１に沿った軸ピンを中心として取付板が回転可能となるようにして接続板と支持部材とを連結する。このため、遊技機の装飾によって遊技機用表示装置が隠れてしまう事態の発生を抑制し、遊技機用表示装置の視認性を向上させることができる。【選択図】図２
0003232096.tif 000002
【実用新案登録請求の範囲】
【請求項１】
複数の遊技機が配置される遊技機島内において前記遊技機毎に設置されて前記遊技機に関する情報を表示する遊技機用表示装置を前記遊技機の上方に取り付けるための表示装置取付具であって、
表面に前記遊技機用表示装置が取り付けられる取付板と、前記取付板から前記取付板の裏面側へ向かって突出する接続部とを備える取付部材と、
前記遊技機の上方に配置される幕板の上部と蝶番を介して連結されることによって前記幕板を開閉可能に支持する笠木に固定される支持部材と、
前記取付板と前記接続部との連結箇所が前記蝶番より上方に位置するように、且つ、前記笠木の延出方向に沿った回転軸を中心として前記取付板が回転可能となるようにして前記接続部と前記支持部材とを連結する連結部材と
を備える表示装置取付具。
【請求項２】
請求項１に記載の表示装置取付具であって、
前記取付板の前記裏面には、前記取付板より滑らかな材料で形成された緩衝部材が取り付けられる表示装置取付具。
【請求項３】
請求項１または請求項２に記載の表示装置取付具であって、
前記支持部材を複数備える表示装置取付具。
【請求項４】
請求項１〜請求項３の何れか１項に記載の表示装置取付具であって、
前記取付板には、前記取付板の上部で切り欠けられた切欠部が形成されている表示装置取付具。
【考案の詳細な説明】
【技術分野】
【０００１】
本開示は、遊技機島に遊技機用表示装置を取り付けるために用いられる表示装置取付具に関する。
【背景技術】
【０００２】
特許文献１には、遊技機島において遊技機の上端付近に設けられたランプ板に、呼出ランプ等の遊技機用表示装置を取り付けることが記載されている。
【先行技術文献】
【特許文献】
【０００３】
【特許文献１】特開２０２０−２５７２５号公報
【考案の概要】
【考案が解決しようとする課題】
【０００４】
近年、遊技機の装飾が大型化し、遊技機の前に座って遊技する遊技客が遊技機用表示装置を視認しづらくなっているという問題があった。
本開示は、遊技機用表示装置の視認性を向上させることを目的とする。
【課題を解決するための手段】
【０００５】
本開示の一態様は、複数の遊技機が配置される遊技機島内において遊技機毎に設置されて遊技機に関する情報を表示する遊技機用表示装置を遊技機の上方に取り付けるための表示装置取付具である。
【０００６】
そして、本開示の表示装置取付具は、取付部材と、支持部材と、連結部材とを備える。
取付部材は、表面に遊技機用表示装置が取り付けられる取付板と、取付板から取付板の裏面側へ向かって突出する接続部とを備える。
【０００７】
支持部材は、遊技機の上方に配置される幕板の上部と蝶番を介して連結されることによって幕板を開閉可能に支持する笠木に固定される。
連結部材は、取付板と接続部との連結箇所が蝶番より上方に位置するように、且つ、笠木の延出方向に沿った回転軸を中心として取付板が回転可能となるようにして接続部と支持部材とを連結する。
【０００８】
このように構成された本開示の表示装置取付具は、ランプ板の上方に位置する幕板の前方に遊技機用表示装置を設置することができる。このため、本開示の表示装置取付具は、遊技機の装飾によって遊技機用表示装置が隠れてしまう事態の発生を抑制し、遊技機用表示装置の視認性を向上させることができる。
【０００９】
また、本開示の表示装置取付具は、取付板と接続部との連結箇所が蝶番より上方に位置するように設置される。このため、本開示の表示装置取付具は、幕板を引き上げた場合に幕板と表示装置取付具とが干渉して幕板の引き上げが阻害されてしまうという事態の発生を抑制することができる。
【図面の簡単な説明】
【００１０】
【図１】表示装置取付具、呼出ランプおよび遊技機の正面図である。
【図２】表示装置取付具の前側の斜視図である。
【図３】表示装置取付具の後側の斜視図である。
【図４】呼出ランプが取り付けられている表示装置取付具の斜視図である。
【図５】遊技機島に取り付けられている遊技機、表示装置取付具および呼出ランプの正面図および側面図である。
【図６】開口が開放される前と後との状態を示す幕板、表示装置取付具および呼出ランプの側面図である。
【図７】幕板が引き上げられた状態における幕板、表示装置取付具および遊技機用表示装置の斜視図である。
【考案を実施するための形態】
【００１１】
以下に本開示の実施形態を図面とともに説明する。
本実施形態の表示装置取付具１は、図１に示すように、遊技機１１０の上方において呼出ランプ１２０を遊技機島１００に取り付けるために用いられる。
【００１２】
遊技機島１００は、複数の遊技機１１０が配置され、図２に示すように、遊技機１１０の上方において呼出ランプ１２０を取り付けるために設けられたランプ板１０１を備える。
【００１３】
さらに遊技機島１００は、ランプ板１０１の上方において、遊技機１１０に遊技球を補給するために遊技機島１００内に収容されている補給樋等の装置を遮蔽するための幕板１０２を備える。幕板１０２は、矩形板状に形成されている。
【００１４】
そして遊技機島１００は、幕板１０２の矩形を構成する四辺のうち上辺に沿って延びるように設置された角棒状の笠木１０３を備える。
幕板１０２の上辺付近と笠木１０３とが蝶番１０４によって連結されることにより、幕板１０２は、蝶番１０４を介して開閉可能に笠木１０３に支持される。
【００１５】
表示装置取付具１は、図２、図３および図４に示すように、取付部材２と、支持部材３，４と、連結部材５，６とを備える。
取付部材２は、取付板２１と、接続板２２，２３とを備える。
【００１６】
取付板２１は、呼出ランプ１２０が取り付けられる板状部材である。本実施形態の取付板２１は、例えば金属で矩形板状に形成されている。取付板２１の表面２１ａおよび裏面２１ｂのうち、表面２１ａに呼出ランプ１２０が取り付けられる。
【００１７】
接続板２２，２３は、取付板２１の矩形を構成する上辺２１ｃ、下辺２１ｄ、右辺２１ｅおよび左辺２１ｆのうち上辺２１ｃから、裏面２１ｂ側へ向かって、取付板２１に対して垂直に突出する板状部材である。
【００１８】
接続板２２は、上辺２１ｃの中点を挟んで右辺２１ｅ側に取り付けられる。接続板２３は、上辺２１ｃの中点を挟んで左辺２１ｆ側に取り付けられる。
なお、取付板２１には、上辺２１ｃにおける接続板２２と接続板２３との間の一部分から下辺２１ｄに向かって凹んだ切欠部２１ｇが形成されている。
【００１９】
図３に示すように、支持部材３，４はそれぞれ、Ｌ型アングルであり、金属で矩形状に形成された板状部材を垂直に屈曲させることによって、第１取付板３１，４１と第２取付板３２，４２とを備えるように形成されている。
【００２０】
連結部材５，６はそれぞれ、蝶番であり、第１連結板５１，６１と第２連結板５２，６２と、軸ピン５３，６３とを備える。第１連結板５１および第２連結板５２は軸ピン５３によって軸ピン５３を中心に回転可能に連結されている。同様に、第１連結板６１および第２連結板６２は軸ピン６３によって軸ピン６３を中心に回転可能に連結されている。
【００２１】
支持部材３の第１取付板３１は、例えばボルトによって笠木１０３に固定される。また支持部材４の第１取付板４１は、例えばボルトによって笠木１０３に固定される。
連結部材５の第１連結板５１は、例えばボルトによって接続板２２に固定される。また連結部材６の第１連結板６１は、例えばボルトによって接続板２３に固定される。
【００２２】
そして連結部材５の第２連結板５２は、例えばボルトによって支持部材３の第２取付板３２に固定される。また連結部材６の第２連結板６２は、例えばボルトによって支持部材４の第２取付板４２に固定される。
【００２３】
これにより、表示装置取付具１は、連結部材５，６を介して開閉可能に笠木１０３に支持される。
呼出ランプ１２０は、図４に示すように、遊技客が遊技場内の店員を呼び出す場合に操作される呼出ボタン１２１と、遊技機１１０に関する情報を表示する表示部１２２と、点灯状態により各種情報を表示する表示灯群１２３と、呼出ランプ１２０を表示装置取付具１に取り付ける取付部１２４とを備える。
【００２４】
図５に示すように、遊技機１１０は、遊技機本体部１１１と、遊技機本体部１１１の上方で遊技機本体部１１１に取り付けられた装飾部１１２とを備える。
遊技機１１０の前に座って遊技する遊技客は、ランプ板１０１の前方に配置されている装飾部１１２のために、ランプ板１０１を視認することができない。すなわち、呼出ランプ１２０がランプ板１０１に取り付けられた場合に、遊技客は、呼出ランプ１２０を視認することができない。
【００２５】
一方、幕板１０２は装飾部１１２の上方に配置されているため、遊技機１１０の前に座って遊技する遊技客は、幕板１０２を視認することができる。すなわち、遊技客は、表示装置取付具１によって幕板１０２の前方に取り付けられた呼出ランプ１２０を視認することができる。
【００２６】
図６に示すように、幕板１０２を引き上げると、矢印Ｌ１で示すように、幕板１０２が蝶番１０４を中心にして上方へ回転し、ランプ板１０１と笠木１０３との間に形成されている開口ＯＰが開放される。また、幕板１０２が上方へ回転すると、呼出ランプ１２０が取り付けられている表示装置取付具１の取付板２１も、連結部材５，６を中心にして上方へ回転する。このため、呼出ランプ１２０が幕板１０２の前方に取り付けられていても、遊技場の店員が幕板１０２を引き上げて開口ＯＰを開放する作業は阻害されない。
【００２７】
また、取付板２１の裏面２１ｂには、緩衝部材７が取り付けられている。緩衝部材７は、取付板２１より滑らかな材料で形成された部材である。なお、緩衝部材７は、取付板２１より軟らかい材料で形成されてもよい。
【００２８】
これにより、表示装置取付具１が幕板１０２の前方に取り付けられている状態では、緩衝部材７が幕板１０２に接触し、取付板２１は幕板１０２に接触しない。このため、表示装置取付具１が幕板１０２の前方に取り付けられることによって、取付板２１と幕板１０２とが接触して幕板１０２が損傷するのを抑制することができる。
【００２９】
また、取付板２１には切欠部２１ｇが形成されている。このため、図７に示すように、前方に向かって突出する表示装置１６０が笠木１０３に取り付けられている場合であっても、幕板１０２が引き上げられたときに表示装置取付具１と表示装置１６０とが干渉しないようにすることができる。また、表示装置取付具１に呼出ランプ１２０が取り付けられている場合であっても、呼出ランプ１２０と表示装置１６０とが干渉しないようにすることができる。
【００３０】
このように構成された表示装置取付具１は、複数の遊技機１１０が配置される遊技機島１００内において遊技機１１０毎に設置されて遊技機１１０に関する情報を表示する呼出ランプ１２０を遊技機１１０の上方に取り付けるための取付具である。
【００３１】
そして表示装置取付具１は、取付部材２と、支持部材３，４と、連結部材５，６とを備える。
取付部材２は、表面２１ａに呼出ランプ１２０が取り付けられる取付板２１と、取付板２１から取付板２１の裏面２１ｂ側へ向かって突出する接続板２２，２３とを備える。
【００３２】
支持部材３，４は、遊技機１１０の上方に配置される幕板１０２の上部と蝶番１０４を介して連結されることによって幕板１０２を開閉可能に支持する笠木１０３に固定される。
【００３３】
連結部材５，６は、取付板２１と接続板２２，２３との連結箇所Ｃ１，Ｃ２（図２および図６を参照）が蝶番１０４より上方に位置するように、且つ、笠木１０３の延出方向Ｄ１（図２を参照）に沿った軸ピン５３，６３を中心として取付板２１が回転可能となるようにして接続板２２，２３と支持部材３，４とを連結する。
【００３４】
このように表示装置取付具１は、ランプ板１０１の上方に位置する幕板１０２の前方に呼出ランプ１２０を設置することができる。このため、表示装置取付具１は、遊技機１１０の装飾部１１２によって呼出ランプ１２０が隠れてしまう事態の発生を抑制し、呼出ランプ１２０の視認性を向上させることができる。
【００３５】
また表示装置取付具１は、取付板２１と接続板２２，２３との連結箇所Ｃ１，Ｃ２が蝶番１０４より上方に位置するように設置される。このため、表示装置取付具１は、幕板１０２を引き上げた場合に幕板１０２と表示装置取付具１とが干渉して幕板１０２の引き上げが阻害されてしまうという事態の発生を抑制することができる。
【００３６】
取付板２１の裏面２１ｂには、取付板２１より滑らかな材料で形成された緩衝部材７が取り付けられる。これにより、表示装置取付具１は、取付板２１と幕板１０２とが接触して幕板１０２が損傷するのを抑制することができる。
【００３７】
また、２つの支持部材３，４が笠木１０３に固定される。これにより、表示装置取付具１は、笠木１０３に掛かる荷重を２箇所に分散させることができ、笠木１０３の破損を抑制することができる。
【００３８】
また、取付板２１には、取付板２１の上部で切り欠けられた切欠部２１ｇが形成されている。これにより、表示装置取付具１は、前方に向かって突出する表示装置１６０が笠木１０３に取り付けられている場合であっても、幕板１０２が引き上げられたときに表示装置取付具１と表示装置１６０とが干渉しないようにすることができる。
【００３９】
以上説明した実施形態において、呼出ランプ１２０は遊技機用表示装置に相当し、接続板２２，２３は接続部に相当し、蝶番１０４は蝶番に相当し、軸ピン５３，６３は回転軸に相当する。
以上、本開示の一実施形態について説明したが、本開示は上記実施形態に限定されるものではなく、種々変形して実施することができる。
【００４０】
上記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記実施形態の構成の一部を省略してもよい。また、上記実施形態の構成の少なくとも一部を、他の上記実施形態の構成に対して付加または置換してもよい。
【符号の説明】
【００４１】
１…表示装置取付具、２…取付部材、３，４…支持部材、５，６…連結部材、２１…取付板、２１ａ…表面、２２，２３…接続板、１００…遊技機島、１０２…幕板、１０３…笠木、１０４…蝶番、１１０…遊技機、１２０…呼出ランプ、Ｃ１，Ｃ２…連結箇所
【図１】
0003232096.tif 000003
【図２】
0003232096.tif 000004
【図３】
0003232096.tif 000005
【図４】
0003232096.tif 000006
【図５】
0003232096.tif 000007
【図６】
0003232096.tif 000008
【図７】
0003232096.tif 000009